(57)【特許請求の範囲】
【請求項１】
最小限のテール分離と改良された液滴弾道を示し、プリントヘッド（８０）の芳香族ポリイミドから成るオリフィスプレート（１０４）のオリフィス（１２４）を介して印刷媒体上に印刷を行い、改良された印刷品質をもたらすインクジェットインク（１７４）であって、
前記最小限のテール分離と改良された液滴弾道が、インクジェットインク（１７４）に対し、少なくとも３５ｄｙｎｅ／ｃｍの表面張力と前記オリフィスプレート（１０４）との３５から６５度の範囲内の値の接触角を付与するのに十分な量で添加される、ドデシルアミンオキシド、又はドデシルアミンオキシドと次式
【化１】
0004338932.tif 000014
を有する基転移重合ポリマーの組み合わせから成る表面活性添加剤を含有することによって達成される、インクジェットインク（１７４）。
【請求項２】
前記表面活性添加剤が、その臨界ミセル生成濃度以下の量でインク中に存在する、請求項１に記載のインクジェットインク（１７４）。
【請求項３】
前記量が、０．０１から１０重量％である、請求項２に記載のインクジェットインク（１７４）。
【請求項４】
インクジェットインク（１７４）におけるテール分離を低減させ液滴弾道を改良するための方法であって、
インクジェットインク（１７４）に少なくとも３５ｄｙｎｅ／ｃｍの表面張力を与えると共に、インクジェットインク（１７４）が吐出されるプリントヘッド（８０）の複数のオリフィス（１２４）を有する芳香族ポリイミドからなるオリフィスプレート（１０４）とインクジェットインク（１７４）との間の接触角が３５から６５度となるのに十分な量にて、インクジェットインク（１７４）に対して、ドデシルアミンオキシド、又はドデシルアミンオキシドと次式
【化２】
0004338932.tif 000015
を有する基転移重合ポリマーとの組み合わせから成る表面活性添加剤を添加することを包含する方法。
【発明の詳細な説明】
【０００１】
【発明の属する技術分野】
本発明はインクジェットインクに関し、より詳細には、インクジェットカートリッジのノズルを介する吐出に際して高い指向性を示すインクジェットインクに関する。
【０００２】
【従来の技術】
サーマルインクジェットプリントカートリッジは、小体積のインクを急激に加熱してインクを気化し、複数のオリフィスの１つを通して吐出させることにより、用紙のような記録媒体上にインクドットを印刷するように動作する。通常オリフィスは、１つ以上の直線的なアレイでもって、ノズル部材に配置される。各オリフィスからの適切に順序付けられたインクの吐出により、用紙に対してプリントヘッドを相対移動させるにつれて、用紙上に文字又は他の画像が印刷される。用紙は通常、プリントヘッドが用紙を横切って移動し終わるごとにシフトされる。用紙に着弾するのはインクだけであるので、サーマルインクジェットプリンタは静かで速い。こうしたプリンタは、高品質の印刷物を生成し、またコンパクトで価格も手頃である。
【０００３】
従来技術の１つの設計では、インクジェットプリントヘッドは一般に、（１）インクリザーバからオリフィスに近接した各気化チャンバにインクを供給するインクチャネル、（２）オリフィスが必要なパターンで形成されている金属製のオリフィスプレート又はノズル部材、及び（３）各気化チャンバに１つの、一連の薄膜抵抗を具備するシリコン基板を含んでいる。
【０００４】
１つのインクドットを印刷するためには、外部電源からの電流が選択された薄膜抵抗を通して流される。この抵抗は加熱され、次いで気化チャンバ内で隣接するインクの薄層を過熱し、爆発的な気化を発生させ、その結果、関連するオリフィスを通してインク滴を用紙上へ吐出させる。
【０００５】
長年にわたり繰り返されてきた問題は、オリフィスを通して印刷媒体、例えば用紙上へと液滴が吐出される際の、液滴の弾道（軌道）に関連している。例えば、インク滴がオリフィスプレートのオリフィスから吐出される時は常に、インク滴の尻尾の部分、即ち「テール」がその液滴と一緒に動く。このインク滴テールの少量は分離し、プレートの外側表面上に別のインク滴として着弾しうる。オリフィスの縁部付近でオリフィスプレート外側表面上に集積されるこうした残留インクはその後、吐出されたインク滴と接触し、それによってそれらの液滴の弾道を変えることがあるが、これは印刷画像の品質を低下させる。
【０００６】
また、相当量の残留インクがオリフィスプレート外側表面上に堆積した場合には、オリフィス内のインクと外側表面上のインクとの間に連続的な液体経路が形成されることがあり、それによってオリフィス外部へのインクの漏れが助長される。さらに、相当量のインクがオリフィスプレート上に堆積されると、この大きなインク溜まりは、液滴が吐出されなくなる程度にまで、即ち一滴もその大きいインク溜まりを通過できなくなる程度にまで、液滴の吐出を妨げる恐れがある。その上、プレートの外側表面上の残留インクは、紙の繊維のような微小な粒子を捕捉しがちであり、それによって後に吐出される液滴の弾道を妨害することになる。
【０００７】
長年にわたり、インクジェットプリンタなどのプリントヘッドの製造のために開発されてきたインクジェット技術は、隣接する印刷媒体上へのインク滴パターンやインク弾道を制御するための、出力用インク吐出オリフィスプレート又はノズルプレートの形成を特に対象とした、細分化されたカテゴリーや細分化された技術を含むようになってきている。当業者には周知のように、こうしたオリフィスプレート技術は、シリコンオリフィスプレート、ガラスオリフィスプレート、プラスチックオリフィスプレート、及び金属オリフィスプレートを、これら４種類のオリフィスプレートのカテゴリーの各々について、多くの異なる種類の材料から製造するための技術を含んでいる。加えて、金属（例えばニッケル）オリフィスプレート技術は、薄膜プリントヘッド基板へ取り付ける小寸法の精密構造オリフィスプレートを形成するためのマンドレルの製造を含めて、電鋳及び電気メッキ工程を包含する。
【０００８】
液滴弾道に対処する解決策は、種々のものが特許されている。これらの解決策の多くは、プリンタの機械的な面について種々変更を行うことからなり、かかる解決策の例には、（１）抵抗からオリフィスをオフセットさせるもの（例えば「抵抗からオフセットしたオリフィスを有するサーマルインクジェットヘッド構造」と題する１９８８年１２月２７日発行のＨｏｗａｒｄ  Ｈ．Ｔａｕｂ等の米国特許第４７９４４１１号参照）、（２）液滴の飛翔特性を測定する液滴検出器を設け、液滴吐出のタイミングと画像データを補正してより高品質の画像を得るもの（例えば「マルチペンインクジェット印刷システムにおけるペン間オフセット測定及び補償」と題する１９９２年４月２８日発行のＫｅｉｔｈ  Ｅ．Ｃｏｂｂｓ等の米国特許第５１０９２３９号参照）、（３）オリフィスプレートを排除するもの（例えば「インクジェットプリンタ用オリフィスレスプリントヘッド」と題する１９９４年１２月６日発行のＲｏｂｅｒｔ  Ｊ．Ｍｉｌｌｅｒ等の米国特許第５３７１５２７号参照）、（４）ノズルを僅かに内向きの角度で形成することにより、ノズルのスキューをもたらすノズル部材の曲げを防ぐことができるように、プリントヘッドの組み立てを再構築するもの（例えば「インク着弾エラーを排除するよう形成されたインクジェットプリントヘッド」と題する１９９５年１１月１４日発行のＷｉｎｔｈｒｏｐ  Ｄ．Ｃｈｉｌｄｅｒｓの米国特許第５４６７１１５号参照）、及び（５）ペンそのものの構造、即ちインクを吐出チャンバに導く通路及びランドを含む構造部分を変更するもの（「トレンチ及び後退したランドを備えたインクジェットプリントヘッドの製造方法」と題する１９９７年１１月１１日付けの、Ｙｉｃｈｕａｎ  Ｐａｎ等の米国特許第５６８５０７４号）などがある。
【０００９】
その他の解決策には、（１）オリフィスプレートの選択的な部分に湿潤表面特性及び非湿潤表面特性を付与するもの（例えば「インクジェットペン用オリフィスプレート」と題する１９９５年７月１８日発行のＳｕｒａｊ  Ｌ．Ｈｉｎｄａｇｏｌｌａ等の米国特許第５４３４６０６号参照）、及び（２）自己集合単層によりオリフィスプレートの内側及び外側表面を処理するもの（例えば「自己集合単層によるオリフィスプレートの処理」と題する１９９７年１月２８日発行のＤａｖｉｄ  Ｊ．Ｈａｌｋｏ等の米国特許第５５９８１９３号参照）などがある。
【００１０】
インクそれ自体も、液滴弾道の問題を克服することを意図して再調合されてきた。例えば（１）「印刷品質改善のための水性インク添加剤」と題する１９９２年３月２４日発行のＪｅｆｆｒｅｙ  Ｐ．Ｂａｋｅｒの米国特許第５０９８４７６号、及び（２）「普通紙インク」と題する１９９２年５月１２日発行のＬｅｏｎａｒｄ  Ｓｌｅｖｉｎ等の米国特許第５１１２３９９号などを参照のこと。
【００１１】
上記の米国特許第５０９８４７６号では、インクの表面張力を低減させ用紙上での表面湿潤性を増大させるために、低分子量のアルコールや界面活性剤／消泡剤が添加される。米国特許第５１１２３９９号では、インクの粘度を高め、それによって噴霧を減じ、液滴の指向性を改良するために、アルギン酸塩のような粘度変性剤が用いられる。
【００１２】
表面張力の制御を伴うインクジェットインクの他の改質も、種々の理由で試みられてきている。例えば「ドット広がりの小さなブラックインクとドット広がりの大きなカラーインクを含有するペンを備えたプリンタ」と題する１９９９年３月９日発行のＪｏｈｎ  Ｌ．Ｓｔｏｆｆｅｌ等の米国特許第５８８０７５８号は、ドット広がりの比較的大きなインク（カラーインク）に２５から４０ｄｙｎｅ／ｃｍの範囲の表面張力と１．５から１０ｃｐの範囲の粘度を、ドット広がりの比較的小さなインク（ブラックインク）に４５から６５ｄｙｎｅ／ｃｍの範囲の表面張力とカラーインクと同じ範囲の粘度を用いることを開示している。
【００１３】
インクの表面張力と、印刷媒体又はペン内部の表面のような固体表面に対するインクの接触角を組み合わせて調節することもまた考えられている。例えば「インク特性の調節のための共界面活性剤の使用」と題する１９９７年５月６日発行のＮｏｒｍａｎ  Ｅ．Ｐａｗｌｏｗｓｋｉ等の米国特許第５６２６６５５号を参照のこと。
【００１４】
また、インクジェットプリンタに使用されているような液滴の噴霧に使用されるノズル向けの、新規なイオン性表面処理を開示している、何れも「液体ノズルにおける湿潤防止」と題する１９８５年１１月２６日及び１９８６年４月２２日発行のＹｏｕｎｇ  Ｓ．Ｙｏｕの米国特許第４５５５０６２号及び第４５８３６９０号も参照のこと。
【００１５】
【発明が解決しようとする課題】
殆どの場合において、従来の技術は基本的に、印刷媒体上の印刷におけるヒゲ、ボケといった印刷品質の問題に対処するために、インクの表面張力を低下させることを指向しているようである。
【００１６】
インクジェットプリントヘッドにおける最近の進歩は、液滴の体積をより小さくして印刷する方向に動いてきており、これに伴ってプリントヘッドのオリフィスの直径も縮小される。その結果として、吐出されたインク滴の弾道を適切にすることはますます重要になっており、所要の弾道を達成するために、インクはその処方、調合を通じて注意深く調整されねばならない。上記で見た米国特許は、それらの所期の目的には確かに適しているが、縮小された液滴体積及びそれが液滴弾道に及ぼす影響という問題は扱われていない。
【００１７】
従って、プリントヘッドを離れる際のインクの指向性を改良する必要性が残存している。特に、印刷品質の改良を伴う、テール分離が減少し、液滴弾道が改良されたインクに対する必要性が存在している。
【００１８】
【課題を解決するための手段】
本発明によれば、印刷媒体上に印刷を行うためのインクジェットインクが提供される。インクジェットインクは、最小限のテール分離と改良された液滴弾道を示し、それによって改良された印刷品質をもたらす。最小限のテール分離と改良された液滴弾道は、インクジェットインクに少なくとも３５ｄｙｎｅ／ｃｍの表面張力を付与し、オリフィスとの接触角を３５から６５度の範囲とするのに十分な量で少なくとも１つの表面活性添加剤を含むように、インクを調合することによって達成される。
【００１９】
また本発明によれば、インクジェットのテール分離を減少させ液滴弾道を改良するための方法も提供される。、この方法では、少なくとも１つの表面活性添加剤がインクに添加される。
【００２０】
【発明の実施の形態】
さて、本発明者らが現在、本発明を実施するためのベストモードと考えている、本発明の特定の実施態様を詳細に参照する。代替実施態様についても、それが適用できる場合について簡単に記述する。
【００２１】
本明細書における全ての濃度は、別途記載しない限り重量パーセントで表される。全ての成分の純度は、インクジェットインクとして通常の商業的実施に用いられる純度である。
代表的なサーマルインクジェットカートリッジ
図１を参照すると、代表的なサーマルインクジェットカートリッジ１０が示されている。このカートリッジは、Ｋｏｗａｌｓｋｉの米国特許第６０９０７４９号、Ｋｅｅｆｅ等の米国特許第５２７８５８４号、及びヒューレット・パッカードジャーナルＶｏｌ．３９，Ｎｏ．４（１９８８年８月）に図示され記載された一般的なタイプのものである。これらの文献の内容は、ここでの番号の参照によって、本明細書に取り入れる。カートリッジ１０は概略的に示されているが、この製品を含むより詳細な情報は米国特許第５２７８５８４号に提供されている。図１に示すように、カートリッジ１０は先ずハウジング１２を含み、これは好ましくはプラスチック、金属、又は両方の組み合わせから作られる。ハウジング１２はさらに、上部壁１６と、底部壁１８と、第一側壁２０と、第二側壁２２とを含む。図１の実施態様では、上部壁１６と底部壁１８は実質的に互いに平行である。同様に、第一側壁２０と第二側壁２２も実質的に互いに平行である。
【００２２】
同様にしてハウジング１２は、前部壁２４と後部壁２６を含む。前部壁２４、上部壁１６、底部壁１８、第一側壁２０、第二側壁２２、及び後部壁２６に囲まれているのは、ハウジング１２内部の内部チャンバ又は区画３０であり（図１では点線で示す）、これは後述するようにインクをその内部に保持するよう設計されている。前部壁２４はさらに、外部に向けて配置され、外側に張り出したプリントヘッド支持構造３４を含み、これは内部に実質的に長方形の中央キャビティ５０を含んでいる。中央キャビティ５０は図１に示された底面壁５２を含み、これはインク出口ポート５４を備える。インク出口ポート５４は、全体がハウジング１２に通じ、結果として、ハウジング１２内の区画３０と連絡して、インク材料が区画３０からインク出口５４ポートを通して外部へ流れることができるようにしている。
【００２３】
中央キャビティ５０の内部にはまた、その機能を後述するところの、上方に延びる長方形の取付フレーム５６が配置されている。図１において概略的に示されているように、取付フレーム５６は、プリントヘッド支持構造３４の前面６０と実質的に均等（面一）である。取付フレーム５６は特に、二重の細長い側壁６２、６４を含んでおり、これも同様に以下で詳しく後述する。
【００２４】
図１を続けて参照すると、インクカートリッジユニット１０のハウジング１２に固定される（例えば、外側に張り出しているプリントヘッド支持構造３４に取り付けられる）のは、図１において参照番号８０で全体を示したプリントヘッドである。本発明の目的に関連し、また従来の語法に従えば、プリントヘッド８０は実際には、一体的に固定された２つの主たる構成部品からなる（その間に配置されたある種の副次的構成部品と共に）。これらの構成部品及びプリントヘッド８０に関連した付帯情報は、やはり先のＫｅｅｆｅ等の米国特許第５２７８５８４号に記載されており、インクカートリッジ１０はかなり詳細に論じられている。プリントヘッド８０を作るのに用いられる最初の主たる構成部品は、好ましくはシリコン製のプレート状支持部材、即ちダイ８２である。この支持部材８２の上面８４には、在来の薄膜製造技術を用いて、複数の個々に付勢可能な薄膜抵抗８６が固定されている。この薄膜抵抗は「インク吐出器」として機能し、好ましくは抵抗製造技術で既知のタンタル−アルミニウム組成物から作られる。明確化のため、図１の概略図には、少数の抵抗８６だけを拡大形式で示している。また支持部材８２の上面８４には、抵抗８６と電気的に連絡する複数の金属導線９０が、在来のフォトリソグラフィ技術を使って設けられている。導線９０はまた、上面８４上の支持部材８２の端部９４、９５に配置された多数の金属パッド状のコンタクト領域９２とも連絡している。組み合わせて、抵抗アセンブリ９６としてここに集合的に示されているこれら全ての構成部品の機能は、さらに後述する。抵抗アセンブリ９６は、多くの異なる材料とデザイン形状を用いて構成することができ、本発明はこの点に関しては、特定の要素、材料、並びに成分のいずれの制限を受けるものでもない。しかしながら、Ｋｅｅｆｅ等の米国特許第５２７８５８４号に記載の好ましい、代表的な、非限定の実施態様では、抵抗アセンブリ９６は長さが約０．５インチであり、３００個の抵抗８６を含み、従って１インチ当り６００ドット（ＤＰＩ）の分解能を可能にする。抵抗８６を表面に有する支持部材８２は、好ましくは、取付フレーム５６の側壁６２、６４間の距離「Ｄ１」より狭い幅「Ｗ１」（図１）を有する。結果としてインク流路１００、１０２（図２に概略的に示した）が支持部材８２の両側に形成され、中央キャビティ５０のインク出口ポート５４から流れ出るインクは、最終的に抵抗８６と接触することができる。留意すべきは、支持部材８２は、関心事となるインクカートリッジユニット１０の形式に応じて、多数の他の構成部品（図示せず）を有していてもよいということである。例えば支持部材８２は、抵抗８６の動作を精密に制御するために複数のロジックトランジスタを含むことができ、また米国特許第５２７８５８４号で議論されたような従来形状の「デマルチプレクサ」を含んでいてもよい。このデマルチプレクサは、入力される多重化信号を分離し、その後これらの信号を種々の薄膜抵抗８６に分配するのに用いられる。こうした目的でのデマルチプレクサの使用により、支持部材８２上に形成される回路（例えばコンタクト領域９２及び導線９０）の複雑さ及び量を軽減することが可能になる。支持部材８２の他の特徴（例えば抵抗アセンブリ９６）を以下に説明する。
【００２５】
支持部材８２の上面８４には、（図１の従来デザインにおけるバリア層及び接着層などの多数の介在材料層と共に）プリントヘッド８０の第２の主たる構成成分が固定される。具体的には、オリフィスプレート１０４が図１に示すように設けられ、これは本発明の基体などの指定された印刷媒体材料へ、選択されたインク組成物を分配するのに用いられる。従来のオリフィスプレートの設計では、図１のカートリッジ１０にも使用できる、不活性金属組成物（例えば金メッキしたニッケル）から作製された剛性のプレート構造が含まれた。しかしながら、最近のサーマルインクジェット技術の発達により、オリフィスプレート１０４を構成するのに非金属の有機高分子膜の利用が可能となった。図１に示したように、このタイプのオリフィスプレート１０４は、代表的な実施態様において約１．０から２．０ミル（０．００２５４から０．００５０８ｃｍ）の均一な厚みを有する選択された非金属有機高分子から製造された、可撓性の膜状部材１０６からなる。本発明の目的に関して、用語「非金属」は、いかなる元素状金属、金属合金、又は金属アマルガム（例えば金属混合物）をも含まない組成物を指すものとする。同様に、「有機高分子」という用語は、繰り返し単位を有する長鎖の炭素含有構造を指すものとする。多数の各種高分子組成物をこの目的に採用してよく、本発明は特定の構成材料のいずれにも制限されない。例えばオリフィスプレート１０４は、次の組成物から作製できる。ポリテトラフルオロエチレン（例えば、Ｔｅｆｌｏｎ（登録商標））、ポリイミド、ポリメチルメタクリレート、ポリカーボネート、ポリエステル、ポリアミド、ポリエチレンテレフタラート、又はそれらの混合物。同様に、オリフィスプレート１０４を構成するのに適している代表的な市販の有機高分子（例えばポリイミドベースの）組成物は、米国デラウェア州ウィルミントンのデュポン社から商標「ＫＡＰＴＯＮ」の下に販売されている製品である。ＫＡＰＴＯＮは芳香族ポリイミドであり、これは無水ピロメリト酸と４，４−ジアミノジフェニルエーテルとの間の重縮合反応の結果物である。図１の概略図に示すように、可撓性のオリフィスプレート１０４は、完成されたインクカートリッジ１０において、外方に張り出すプリントヘッド支持構造３４を「包み込む」よう設計される。
【００２６】
オリフィスプレート１０４を作るのに使用される膜状部材１０６はさらに、頂上面１１０と底面１１２（図１及び図２）を含む。オリフィスプレート１０４の底面１１２上には、既知の金属蒸着及びフォトリソグラフィ技術を使って底面１１２に適用された複数の金属（例えば銅）の回路トレース１１４が形成され、それを図１で点線で示している。オリフィスプレート１０４の底面１１２には、多くの異なる回路トレースのパターンを採用することができ、それぞれの特定パターンは、関心事となるインクカートリッジユニット１０と印刷システムの特有の方式に依存する。またオリフィスプレート１０４の頂上面１１０上の位置１１６には、複数の金属（例えば、金メッキした銅）のコンタクトパッド１２０が形成される。コンタクトパッド１２０は、オリフィスプレート１０４を通る小さな開口即ち「バイア」（図示せず）を用いて、下側の、オリフィスプレート１０４の底面１１２上の回路トレース１１４と連絡する。印刷ユニットにおいてインクカートリッジ１０を用いる際、コンタクトパッド１２０は対応するプリンタ電極と接触して、プリンタユニットからの電気制御信号をオリフィスプレート１０４上のコンタクトパッド１２０と回路トレース１１４に送信し、最終的には抵抗アセンブリ９６へと送る。抵抗アセンブリ９６とオリフィスプレート１０４の間の電気的な連絡について次に説明する。
【００２７】
オリフィスプレート１０４を作るのに使用される膜状部材１０６の中央部分１２２の内部には、オリフィスプレート１０４を全面的に貫通する複数の開口、即ちオリフィス１２４が配置される。これらのオリフィス１２４を図１では拡大様式で示す。代表的な実施態様では、各オリフィス１２４は約０．０１から０．０５ｍｍの直径を有する。完成されたプリントヘッド８０では、上に挙げた全ての構成部品がアセンブルされ、オリフィス１２４の各々が支持部材８２上の抵抗８６（例えば「インク吐出器」）の少なくとも１つと整列するようにされる。結果として、任意の抵抗８６の付勢によって、オリフィスプレート１０４を介して所望のオリフィス１２４からインクが吐出される。本発明は、オリフィスプレート１０４に関するどのような特定の寸法、形状、又は寸法特性のいずれにも制限されるものではなく、同様にオリフィス１２４の数又は配置のいずれにも限定されるものではない。図１に示した如き代表的な実施態様では、オリフィス１２４はオリフィスプレート１０４上で２つのアレイ１２６、１３０に配置される。オリフィス１２４についてこの配置が採用される場合、抵抗アセンブリ９６（例えば支持部材８２）上の抵抗８６もまた、２つの対応するアレイ１３２、１３４に、抵抗８６のアレイ１３２、１３４がオリフィス１２４のアレイ１２６、１３０と実質的に整合状態となるように配置される。
【００２８】
最後に、図１に示すように、二つの長方形の窓１５０、１５２をオリフィス１２４のアレイ１２６、１３０の両端に設ける。窓１５０、１５２の内部には、ビーム型リード１５４が部分的に配置されており、これは代表的な実施態様では金メッキした銅であり、オリフィスプレート１０４の底面１１２上に置かれた回路トレース１１４の端子端部（例えばコンタクトパッド１２０とは反対の端部）を構成する。リード１５４は、抵抗アセンブリ９６と関連する支持部材８２の上面８４上にあるコンタクト領域９２へ、ハンダ付け、熱圧着結合等によって電気接続できるよう設計されている。支持部材８２上のコンタクト領域９２へのリード１５４の取り付けは、量産製造工程では、これらの構成部品への即時のアクセスを可能にする窓１５０、１５２によって容易化される。結果として、オリフィスプレート１０４上の回路線１１４を介して、コンタクトパッド１２０から抵抗アセンブリ９６への電気連絡が確立される。その後、プリンタユニット（図示せず）からの電気信号は、支持部材８２上の導線９０を介して抵抗８６へ進み、それによって抵抗８６（「インク吐出器」）のオンデマンド加熱（付勢）が生じ得る。
【００２９】
この時点において、プリントヘッド８０を製造するのに使用される、上述した構造に関連する製造技術を簡単に説明しておくことが重要である。オリフィスプレート１０４に関して、そこを貫通する窓１５０、１５２とオリフィス１２４を含む開口の全ては通常、やはりＫｅｅｆｅ等の米国特許第５２７８５８４号に記載された在来のレーザ融除技術を用いて形成される。特に、この目的のためには、標準のリソグラフィ技術を使って最初に作られたマスク構造を用いる。次いで在来設計のレーザシステムが選択されるが、好ましい実施態様ではこれは、Ｆ2、ＡｒＦ、ＫｒＣｌ、ＫｒＦ、又はＸｅＣｌから選択される種類のエキシマレーザを含む。この特定のシステムを（約１００ミリジュール／ｃｍ2を上回る好ましいパルスエネルギ及び約１マイクロ秒より短いパルス持続時間と共に）利用することで、高度の正確さ、精度、及び制御性をもって上に挙げた開口（例えばオリフィス１２４）を形成することができる。しかしながら本発明は、いかなる特定の製造方法のいずれにも制限されるものではなく、在来の紫外線融除プロセス（例えば約１５０から４００ｎｍの範囲の紫外光線を用いる）、標準のケミカルエッチング、スタンピング、反応性イオンエッチング、イオンビームミリング、及び別の既知のプロセスなどの他の方法も、オリフィスプレート１０４を完成させるのに適切なものである。
【００３０】
上述のようにしてオリフィスプレート１０４を作製した後、抵抗アセンブリ９６（例えば抵抗８６をその上に有する支持部材８２）をオリフィスプレート１０４に取り付けることにより、プリントヘッド８０が完成する。好ましい実施態様では、プリントヘッド８０の製造は、テープ自動化ボンディング（ＴＡＢ）技術を使って達成される。プリントヘッド８０を作るのにこの特定の工程を用いることについては、やはり米国特許第５２７８５８４号にかなり詳しく記載されている。同様に、ＴＡＢ技術に関する背景情報も、Ｄｉｏｎの米国特許第４９４４８５０号に全般的に与えられている。ＴＡＢに基づく製造システムでは、既に融除され回路トレース１１４とコンタクトパッド１２０をもってパターン化された処理済みの膜状部材１０６（例えば完成されたオリフィスプレート１０４）は、細長い「テープ」上に、相互に接続された多数の「フレーム」の形で実際に存在し、フレームの各々は１つのオリフィスプレート１０４を表す。このテープ（図示せず）はその後、光学アライメントサブシステムを備えたＴＡＢボンディング装置に配置される（不純物及び他の残滓を除去するべく在来方法で洗浄した後）。こうした装置は当業者に周知であり、日本の（株）新川（モデル番号ＩＬ−２０）等を含む多くの様々な供給元から市販されているが、それらに限定されるものではない。ＴＡＢボンディング装置内で、抵抗アセンブリ９６及びオリフィスプレート１０４と関連する支持部材８２は適切に方向付けられて、（１）オリフィス１２４は支持部材８２上の抵抗８６と正確に整合し、（２）オリフィスプレート１０４上の回路トレース１１４と関連するビーム型リード１５４は支持部材８２上のコンタクト領域９２と整列し且つそれに対して位置決めされる。ＴＡＢボンディング装置は次いで、「ギャングボンディング」法（又は他の類似手順）を使って、リード１５４をコンタクト領域９２上に押し付ける（オリフィスプレート１０４に開いた窓１５０、１５２を通して達成される）。その後ＴＡＢボンディング装置は、在来のボンディング工程に従って熱を加え、これらの部品を一緒に固定する。超音波ボンディング、導電エポキシボンディング、固形ペースト塗布工程等を含む、限定のない他の標準的なボンディング技術をこの目的に用いてもよいことに留意することも重要である。この点に関し本発明は、プリントヘッド８０に関連した特定の処理技術のいずれに限定されるものでもない。
【００３１】
図１の在来のカートリッジユニット１０に関連して前述したように、通常はオリフィスプレート１０４と抵抗アセンブリ９６の間に補助的な材料層が存在する。これらの補助層は、電気絶縁や、オリフィスプレート１０４の抵抗アセンブリ９６への接着等の種々の機能を営む。図２を参照して説明すると、プリントヘッド８０が断面図で、カートリッジユニット１０のハウジング１２に取り付けられた後の状態で示されている。図２に示されているように、支持部材８２の上部表面８４も同様に、中間バリア層１５６をその上に含んでいる。この層は導線９０（図１）をカバーするが、抵抗８６に関してはそれらの間及び周囲に、カバーすることなく配置されている。結果として、インク気化チャンバ１６０（図２）が各抵抗８６の真上に形成される。各チャンバ１６０の内部では、インク材料が加熱され気化され、その後オリフィスプレート１０４のオリフィス１２４を介して吐出される。
【００３２】
在来のフォトリソグラフィ技術又は当分野で周知の他の適切な方法を使って、バリア層１５６（在来の有機ポリマー、フォトレジスト材料、又はＫｅｅｆｅ等の米国特許第５２７８５８４号に概説されたような類似の組成物から常法に従って作られる）は支持部材８２に適用される。気化チャンバ１６０を明確に画定することに加えて、バリア層１５６はまた、化学的及び電気的な絶縁層としても機能する。図２に示すように、バリア層の頂上には接着層１６４が配置され、これは多数の異なる組成物からなることができる。その例としては、在来のフォトリソグラフィ又は他の既知方法を使って適用される、未硬化ポリイソプレンフォトレジストがある。バリア層１５６の頂上を何らかの方法で接着性にすることができれば（例えばそれが、加熱時に接着性をもった状態で柔軟になる材料から成るならば）、別の接着層１６４の使用は実際上必要でないかも知れない、ということに留意するのが重要である。しかし、図１及び図２に示した在来の構造及び材料によれば、別個の接着層１６４が採用される。
【００３３】
上述のＴＡＢボンディング工程の最後に、ＴＡＢボンディング装置の加熱／加圧ステーション内で、プリントヘッド８０（前述の構成部品を含む）に熱と圧力をかける。この処理段階（プリントヘッド８０の外部加熱を含むその他の方法を使っても達成できる）は、内部構成成分を一体に熱接着させる（例えば、図２の実施態様で示した接着層１６４を使って）。結果として、プリントヘッド組立工程は、この段階で完了される。唯一残っている処理は、ＴＡＢストリップ上の個々の「フレーム」を切断し分離し（この状態で各「フレーム」は、個別の完成したプリントヘッド８０を含む）、続いてインクカートリッジユニット１０のハウジング１２にプリントヘッド８０を取り付ける操作である。ハウジング１２に対するプリントヘッド８０の取り付けは、多くの様々な方法で達成することができる。しかし、図２に概略的に示された好ましい実施態様では、接着材料の一部分１６６が、ハウジング１２上の取り付けフレーム５６及び／又はオリフィスプレート１０４の底面１１２上の選択された場所の何れかに適用されうる。その後、オリフィスプレート１０４をハウジング１２（例えば、図１に示す外側に張り出したプリントヘッド支持構造体３４に結合された取り付けフレーム５６上）に接着固定させる。この目的に適した代表的な接着材料には、技術的に周知の、市販のエポキシ樹脂及びシアノアクリレート接着剤を含む。接着工程中、抵抗アセンブリ９６と結合された支持部材８２は、図２に示すようにして中央キャビティ５０内に、支持部材８２が取り付けフレーム５６（上述し図１に示した）の中心に位置するように精密に配置する。このようにして、インク流路１００、１０２（図２）が形成され、これらの通路はインク材料を中央キャビティ５０内のインク出口５４から気化チャンバ１６０中へ流して、オリフィスプレート１０４のオリフィス１２４を通してカートリッジユニット１０から吐出させることを可能にする。
【００３４】
カートリッジユニット１０を使って選択された画像受容媒体１７２（例えば普通紙、光沢紙、マイラーのような透明プラスチックシート等）の上に印刷画像１７０を生成させるため、ハウジング１２の内部区画３０の内部に存在する選択されたインク組成物１７４（図１に概略的に示す）が、中央キャビティ５０の底面壁５２内のインク出口５４の中へ供給され、そこを通過する。その後インク組成物１７４（後述のように本発明に従って特に調合されている）は、抵抗８６をその上に保持している支持部材８２（例えば抵抗アセンブリ９６）に向けて矢印１７６、１８０に沿って、インク流路１００、１０２内を通って流れる。次いでインク組成物１７４は、抵抗８６の真上の気化チャンバ１６０に入る。チャンバ１６０内において、インク組成物１７４は抵抗８６と接触する。抵抗８６を付勢（例えば通電）するため、このカートリッジユニット１０を備えるプリンタシステム（図示せず）は、電気信号をプリンタユニットからオリフィスプレート１０４の頂上面１１０にあるコンタクトパッド１２０へと進ませる。この電気信号は次に、オリフィスプレート１０４内のバイア（図示せず）を通過し、その後オリフィスプレート１０４の底面１１２にある回路トレース１１４に沿って、抵抗８６を含んでいる抵抗アセンブリ９６へと進む。このようにして、抵抗８６を選択的に付勢し加熱して、オリフィスプレート１０４を介しオリフィス１２４を経由して、プリントヘッド８０からのインクの気化及び吐出を生じさせることができる。インク組成物１７４はその後、極めて選択的にオンデマンド操作を基礎として、画像受容媒体１７２へ分配され、印刷画像１７０が生成される（図１）。
【００３５】
上述の印刷工程は広範囲の各種サーマルインクジェットカートリッジの設計に適用することができる、ということを強調することは重要である。この点に関し、後述の本発明の概念は、特定のどの印刷システムにも限定されるものではない。しかし、本発明に関連して使用することのできる、上述したタイプのサーマルインクジェットカートリッジの代表的な非限定的な例は、商品番号「５１６４５Ａ」の下に本出願人であるヒューレット・パッカード社から販売されているインクジェットカートリッジを含むものである。本発明に適用可能なヒューレット・パッカード社製の他のインクカートリッジユニットには、以下の商品番号の下に市販されているものがある。５１６４１Ａ、５１６４０Ｃ、５１６４０Ａ、５１６２９Ａ、及び５１６４９Ａ。同様に、サーマルインクジェット工程に関する一般的な詳細は、ヒューレット・パッカードジャーナル、Ｖｏｌ．３９，Ｎｏ．４（１９８８年８月）、Ｂｕｃｋ等の米国特許第４５００８９５号、及びＢａｋｅｒ等の米国特許第４７７１２９５号において議論されている。
本発明
在来型のサーマルインクジェットの構成要素と印刷方法を記述してきたが、次に本発明並びにその有益な諸特長を提示する。以下の記述は、主としてサーマルインクジェット印刷を対象としているが、圧電式のような他のインクジェット印刷方法も本発明の教示によって利益を得るであろうことは、当業者には明らかであろう。
【００３６】
インクの物理的特性の幾つかは、サーマルインクジェットペンからのインクの吐出及び指向性に対して大きな役割を果たす。最も興味ある特性は、表面張力、即ち空気とインク間での気−液相互作用、及び接触角で表される湿潤性、即ち気−固−液相互作用、測定である。後者の場合、固（固体）は、ＫＡＰＴＯＮ（又はその他の芳香族ポリイミド）から作られるオリフィスプレート１０４であり、液（液体）はやはりインクである。
【００３７】
現在進行中の研究の一環として、本発明者らは、吐出されたインク滴の指向性並びにテール分離の双方に対する、インクの表面張力の影響を検討してきた。モデル化と実際のインクの両者を用いた研究の結果、表面張力が高いほど、テール分離は小さいことが示された。テール分離は、主液滴と共に着弾せずに、例えばテキスト文字の輪郭に不均一性を生じさせるような副液滴（サテライト液滴）を生じ、印刷品質（ＰＱ）の劣化の重大な因子となる。それ故、インクにとって有益な一つの特性は、より優れたエッジ尖鋭度を得るために、できるだけ高い表面張力を有することである。こうした理由から、ヒューレット・パッカード社のブラックインクは、カラーインクよりはるかに高い表面張力を有している。例えば上記の米国特許第５８８０７５８号を参照のこと。モデル化の結果は、２５ｄｙｎｅｓ／ｃｍの表面張力を有するインク（低表面張力インク−図３ｂ）の分離と、１００ｄｙｎｅｓ／ｃｍの表面張力を有するインク（明らかに超高表面張力インク−図３ａ）の分離を比較して、図３ａ及び図３ｂに示されている。
【００３８】
本発明者らの知見によれば、インクジェットインクの最小限のテール分離と改良された液滴弾道は、インクに対して少なくとも３５ｄｙｎｅ／ｃｍの表面張力と約３５から６５度の範囲内の接触角（ＫＡＰＴＯＮからなるオリフィスプレート１０４に対して）を付与するのに十分な量で、少なくとも１つの表面活性添加剤をインクに添加することによって達成される。この表面活性添加剤は、アミンオキシド、ベタイン、スルホベタインのような界面活性剤、又は高分子界面活性剤であってよい。あるいは、又はそれと共に、表面活性添加剤は、ＧＴＰ（基転移重合）ポリマーのようなオリゴマーであってもよい。次に、これらの二種類の表面活性添加剤について詳述する。
１．界面活性剤
上述した表面張力という側面に加えて、インクにとって重要なのは、カートリッジ１０のオリフィスプレート１０４のノズル又はオリフィス１２４の気化チャンバ１６０及び胴部２００の壁１５６とできるだけ相互作用を行うことである。なぜならこれは、より良い指向性（吐出されるインクの方向付け）をもたらすからである。例えば図４は、種々のアミンオキシド（ＡＯ）界面活性剤及びそれらの混合物が指向性に及ぼす影響を例証している。図４に用いたテスト番号とインク組成物に対する関係を下の表１に示す。
【００３９】
【表１】
0004338932.tif 000002
【００４０】
特に検討したアミンオキシド界面活性剤は、オクチルジメチルアミンオキシド（Ｃ８ＡＯ）、ドデシルジメチルアミンオキシド（Ｃ１２ＡＯ）、ヘキサデシルジメチルアミンオキシド（Ｃ１６ＡＯ）、（１）Ｃ８／Ｃ１２、（２）Ｃ８／Ｃ１６、及び（３）Ｃ１２／Ｃ１６の混合物、及びコントロールであった。コントロールインクは同じ基本組成を有し、アミンオキシドが添加されたものであって、「インクジェットプリンタ用の改良された色品質の染料セット」と題する１９９８年６月３０日発行のＰａｔｒｉｃｉａ  Ａ．Ｗａｎｇの米国特許第５７７２７４２号に開示されている。また全てのインク組成物処方は、０．１重量％の防腐剤（抗菌剤）Ｐｒｏｘｅｌ  ＧＸＬを含有していた。
【００４１】
望ましいのは、標的からの半径方向変位がより小さいことであるが、図４からはＣ１２ＡＯが最良の値を示すことが分かる。
【００４２】
本発明の実施に用いられるアミンオキシドは、下式で与えられ、式中のｎは８から１６である。
【００４３】
【化１】
0004338932.tif 000003
【００４４】
Ｃ８ＡＯ（オクチルジメチルアミンオキシド、ｎ＝８）界面活性剤は親水性が強くなり、従って気化チャンバ１６０のバリア層１５６やノズル壁２００のような内側表面材料よりも、水と相互作用しやすい。Ｃ１６ＡＯ（ヘキサデシルジメチルアミンオキシド、ｎ＝１６）は疎水性が強くなり、従ってほとんどそれ自体と相互作用してミセルその他の不溶性構造を形成し、そのためやはり、指向性に影響する働きがない。Ｃ１２ＡＯ（ドデシルジメチルアミンオキシド、ｎ＝１２）は、内側表面に対する湿潤性及び誘引性に関して良好なバランス状態にあるため、最適な液滴指向性を達成する上で非常に優れている。インクとＫＡＰＴＯＮ（オリフィスプレート１０４）の間、並びにインクとポリメチルアクリレート（バリア層１５６）の間の両方について、表面張力及び接触角の両方をアミンオキシド界面活性剤について測定した。その結果何れのカテゴリーについても、Ｃ１２ＡＯがこれらの界面活性剤のうちで最も低い値を有することが判定された。
【００４５】
さらに、Ｃ１２ＡＯを界面活性剤として使用した場合の図５に示したように、液滴の運動量とＫＡＰＴＯＮに対する接触角との間には、強い相関関係（表面張力の場合より強い相関関係）が存在する。
【００４６】
ＫＡＰＴＯＮに対する接触角の影響は、１つのモデル化研究から理解することができる。この研究では、吐出サイクル中の剪断速度と速度ベクトルの最大値が、チャンバ１６０のバリア層１５６と胴部２００の壁に沿って見出されることが示された。この剪断速度の分布プロフィルは図６において、ヒューレット・パッカード社のＤｅｓｉｇｎＪｅｔ  ２５００プリンタに採用されるペンに関して示されている。この図では、陰が明るいほど、剪断速度及び速度のプロフィルが大きい。これは当然であるが、その理由は、ノズルの照準が正確で、インクがオリフィスプレート１０４のノズル１２４の壁２００（即ちＫＡＰＴＯＮ材料）とより多く相互作用すれば、インクは標的により正確に差し向けられ、良好となるからである。この効果は、図５においてＣ１２ＡＯに関して明確に見られる。この場合、Ｃ１２ＡＯの濃度は、左から右に行くにつれ上昇し、接触角はそれに対応して減少していく。
【００４７】
本発明の実施において適切に用いられるアミンオキシドは、炭素数ｎが８より大きく１６より小さいアミンオキシド化合物を含む。好ましくはｎは１２である。
【００４８】
関連する化合物もまた、本発明の実施に有用である。こうした関連する化合物には下記のものがある。
（１）ベタイン
【００４９】
【化２】
0004338932.tif 000004
【００５０】
（２）スルホベタイン
【００５１】
【化３】
0004338932.tif 000005
【００５２】
上式において、Ｒ1はＣ8−Ｃ22のアルキル鎖であり、Ｒ2及びＲ3は個別にＣ1からＣ4のアルキル鎖である。
（３）高分子界面活性剤
【００５３】
【化４】
0004338932.tif 000006
【００５４】
上記の界面活性剤（アミンオキシド、ベタイン、スルホベタイン、高分子界面活性剤）はインク中で、その臨界ミセル濃度（ｃｍｃ）以下の濃度を有する。例えば、Ｃ１２ＡＯのｃｍｃは０．５重量％であり、従ってインク中のＣ１２ＡＯの濃度は、０．５重量％以下でなければならない。（ｃｍｃはコロイド種の濃度であり、ｃｍｃにおいて単純な電解質又は非電解質の化学作用よりもコロイドの化学作用が重要になる。両性及び非イオン性界面活性剤に関しては、ｃｍｃはミセル、又は凝集した界面活性剤分子が媒体の化学的性質に影響し始める界面活性剤濃度である。）
上述したところの結果として、より良好な指向性を有するインクジェットインク、従ってより良好な印刷品質を有するインクが、インクとオリフィスプレート材料の間での、比較的高い表面張力と比較的低い接触角という、一見したところ両立しない性質を有することが看取される。本発明の実施に用いられる界面活性剤は、インクに対して必要な表面張力と接触角を備えさせ、改良された結果をもたらす。
２．オリゴマー
上述の界面活性剤（アミンオキシド、ベタイン、スルホベタイン、及び／又は高分子界面活性剤）の何れかを使用するのに加えて、上記の非両立性（高い表面張力と低い接触角）を克服する別の方法は、非常に長さの短いポリマー、より適切にはオリゴマーと呼ばれるものを使うことである。オリゴマーは、空気−インクの界面で凝集しにくく、従って高い表面張力を有する。しかも、オリゴマーは極性が高いため、恐らくはポリイミド、ウレタン、アクリル樹脂等の極性材料であるチャンバ壁と強く相互作用する。これらのオリゴマー類は、次のＤｅｓｋＪｅｔプリンタ、即ちＤｅｓｋＪｅｔ  ２０００、ＤｅｓｋＪｅｔ  ６００シリーズ、ＤｅｓｋＪｅｔ  ８００、及びＤｅｓｋＪｅｔ  ９００シリーズに使用されるインク中のブラックインク顔料を安定化させるのに利用されるポリマーの、より鎖長の短い種類のものとして、デュポン社から入手することができる。オリゴマーが長過ぎると、最終的に表面張力に影響することになる。従ってオリゴマーの鎖長と物理的性質の間には、達成すべき均衡点がある。デュポン社から入手可能なＧＴＰ型のアクリル樹脂及びメタクリレート樹脂以外の他のオリゴマーも、本発明の実施に用いることができる。インクに添加される他の溶媒もまた、インクの表面張力が少なくとも３５ｄｙｎｅ／ｃｍになるように、高い表面張力を持つものでなければならない。そうした望ましい高表面張力溶媒の例には、Ｎ−メチルホルムアミドと２−ピロリドンがある。
【００５５】
ＧＴＰ型オリゴマー（ここでＧＴＰは基転移重合）の例は、次の一般式で与えられる。
【００５６】
【化５】
0004338932.tif 000007
【００５７】
インク中のオリゴマーの濃度は、臨界ミセル濃度に関連して上述したものと同様に考察され、また同じ範囲に基づく。しかし実際には、オリゴマーの濃度は界面活性剤の濃度より幾分高くなりがちである。
【００５８】
ここに開示した１つ以上の界面活性剤、或いはここに開示した１つ以上のオリゴマーをインクに添加して、これまで記載した表面張力と接触角を実現することができる。好ましくは、少なくとも１つの界面活性剤と少なくとも１つのオリゴマーの組み合わせが、本発明の実施において有用に用いられる。
【００５９】
本発明のインクは、（１）約５から５０重量％の、好ましくは約１０から２５重量％の水混和性有機共溶媒と、（２）約０．０５から１０重量％の、好ましくは約０．５から１０重量％の着色剤（顔料又は染料）と、（３）約０．０１から１０重量％の、好ましくは約０．０１から５重量％の、最も好ましくは約０．０５から２重量％の本発明の表面活性添加剤（１つ以上の界面活性剤及び／又は１つ以上のオリゴマー）と、（４）水とを含有する。このインクに対しては他の成分及び添加剤を、以下に記載するように添加してもよい。
【００６０】
共溶媒は、インクジェット印刷に通常採用される一つ又はより多くの水混和性有機溶媒を含む。本発明の実施に採用される共溶媒の種類には、限定するものではないが、脂肪族アルコール、芳香族アルコール、ジオール、グリコールエーテル、ポリ（グリコール）エーテル、カプロラクタム、ホルムアミド、アセトアミド、及び長鎖アルコールが含まれる。また本発明の実施に用いられる化合物の例には、限定するものではないが、炭素数３０以下の第一脂肪族アルコール、炭素数３０以下の第一芳香族アルコール、炭素数３０以下の第二脂肪族アルコール、炭素数３０以下の第二芳香族アルコール、炭素数３０以下の１，２−アルコール、炭素数３０以下の１，３−アルコール、炭素数３０以下の１，ω−アルコール、エチレングリコールアルキルエーテル、プロピレングリコールアルキルエーテル、ポリ（エチレングリコール）アルキルエーテル、ポリ（エチレングリコール）アルキルエーテルの高級同族体、ポリ（プロピレングリコール）アルキルエーテル、ポリ（プロピレングリコール）アルキルエーテルの高級同族体、Ｎ−アルキルカプロラクタム、未置換カプロラクタム、置換ホルムアミド、未置換ホルムアミド、置換アセトアミド、及び未置換アセトアミドがある。本発明の実施に好ましく用いられる共溶媒の具体例は、限定するものではないが、Ｎ−メチルピロリドン、１，５−ペンタンジオール、２−ピロリドン、ジエチレングリコール、１，３−（２−メチル）−プロパンジオール、１，３，５−（２−メチル）−ペンタントリオール、スルホン酸テトラメチレン、３−メトキシ−３−メチルブタノール、グリセロール、及び１，２−アルキルジオールが含まれる。
【００６１】
以下の顔料は、本発明の実施において着色剤として有用である。しかしながら以下の列挙は、本発明を限定することを意図するものではない。ＢＡＳＦ社から市販されている以下の顔料、すなわちＰａｌｉｏｇｅｎ（登録商標）オレンジ、Ｈｅｌｉｏｇｅｎ（登録商標）ブルーＬ６９０１Ｆ、Ｈｅｌｉｏｇｅｎ（登録商標）ブルーＮＢＤ７０１０、Ｈｅｌｉｏｇｅｎ（登録商標）ブルーＫ７０９０、Ｈｅｌｉｏｇｅｎ（登録商標）ブルーＬ７１０１Ｆ、Ｐａｌｉｏｇｅｎ（登録商標）ブルーＬ６４７０、Ｈｅｌｉｏｇｅｎ（登録商標）グリーンＫ８６８３、及びＨｅｌｉｏｇｅｎ（登録商標）グリーンＬ９１４０。キャボット社から市販されている以下の顔料、すなわちＭｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｃａｂｏｊｅｔ２００、Ｃａｂｏｊｅｔ３００、ＩＪＸ５５、及びＩＪＸ７６。チバガイギー社から市販されている以下の顔料、すなわちＣｈｒｏｍｏｐｈｔａｌ（登録商標）イエロー３Ｇ、Ｃｈｒｏｍｏｐｈｔａｌ（登録商標）イエローＧＲ、Ｃｈｒｏｍｏｐｈｔａｌ（登録商標）イエロー８Ｇ、Ｉｇｒａｚｉｎ（登録商標）イエロー５ＧＴ、Ｉｇｒａｌｉｔｅ（登録商標）Ｒｕｂｉｎｅ  ４ＢＬ、Ｍｏｎａｓｔｒａｌ（登録商標）マゼンタ、Ｍｏｎａｓｔｒａｌ（登録商標）スカーレット、Ｍｏｎａｓｔｒａｌ（登録商標）バイオレットＲ、Ｍｏｎａｓｔｒａｌ（登録商標）レッドＢ、及びＭｏｎａｓｔｒａｌ（登録商標）バイオレットＭａｒｏｏｎ  Ｂ。コロンビアン・ケミカルズ社から市販されている以下の顔料、すなわちＲａｖｅｎ  ７０００、Ｒａｖｅｎ  ５７５０、Ｒａｖｅｎ  ５２５０、Ｒａｖｅｎ  ５０００、及びＲａｖｅｎ  ３５００。デグッサ社から市販されている以下の顔料、すなわちカラーブラックＦＷ２００、カラーブラックＦＷ２、カラーブラックＦＷ２Ｖ、カラーブラックＦＷ１、カラーブラックＦＷ１８、カラーブラックＳ１６０、カラーブラックＳ１７０、スペシャルブラック６、スペシャルブラック５、スペシャルブラック４Ａ、スペシャルブラック４、Ｐｒｉｎｔｅｘ  Ｕ、Ｐｒｉｎｔｅｘ  Ｖ、Ｐｒｉｎｔｅｘ  １４０Ｕ、及びＰｒｉｎｔｅｘ  １４０Ｖ。デュポン社から市販されている以下の顔料、すなわちＴｉｐｕｒｅ（登録商標）Ｒ−１０１。ホイバッハ社から市販されている以下の顔料、すなわちＤａｌａｍａｒ（登録商標）イエローＹＴ−８５８−Ｄ及びＨｅｕｃｏｐｈｔｈａｌ（登録商標）Ｂｌｕｅ  Ｇ  ＸＢＴ−５８３Ｄ。ヘキスト社から市販されている以下の顔料、すなわちＰｅｒｍａｎｅｎｔイエローＧＲ、ＰｅｒｍａｎｅｎｔイエローＧ、ＰｅｒｍａｎｅｎｔイエローＤＨＧ、ＰｅｒｍａｎｅｎｔイエローＮＣＧ−７１、ＰｅｒｍａｎｅｎｔイエローＧＧ、ＨａｎｓａイエローＲＡ、Ｈａｎｓａブリリアントイエロー５ＧＸ−０２、ＨａｎｓａイエローＸ、Ｎｏｖｏｐｅｒｍ（登録商標）イエローＨＲ、Ｎｏｖｏｐｅｒｍ（登録商標）イエローＦＧＬ、Ｈａｎｓａブリリアントイエロー１０ＧＸ���ＰｅｒｍａｎｅｎｔイエローＧ３Ｒ−０１、Ｈｏｓｔａｐｅｒｍ（登録商標）イエローＨ４Ｇ、Ｈｏｓｔａｐｅｒｍ（登録商標）イエローＨ３Ｇ、Ｈｏｓｔａｐｅｒｍ（登録商標）オレンジＧＲ、Ｈｏｓｔａｐｅｒｍ（登録商標）スカーレットＧＯ、及びＰｅｒｍａｎｅｎｔ  Ｒｕｂｉｎｅ  Ｆ６Ｂ。バイエル社から市販されている以下の顔料、すなわちＱｕｉｎｄｏ（登録商標）マゼンタ、Ｉｎｄｏｆａｓｔ（登録商標）ブリリアントスカーレット、Ｑｕｉｎｄｏ（登録商標）レッドＲ６７００、Ｑｕｉｎｄｏ（登録商標）レッドＲ６７１３、及びＩｎｄｏｆａｓｔ（登録商標）バイオレット。サン・ケミカル社から市販されている以下の顔料、すなわちＬ７４−１３５７イエロー、Ｌ７５−１３３１イエロー、Ｌ７５−２５７７イエロー、ＹＧＤ  ９３７４イエロー、ＹＨＤ  ９１２３イエロー、ＹＣＤ  ９２９６イエロー、ＹＦＤ  １１００イエロー、ＱＨＤ  ６０４０マゼンタ、ＱＦＤ  １１８０マゼンタ、ＲＦＤ  ３２１７マゼンタ、ＱＦＤ  １１４６マゼンタ、ＲＦＤ  ９３６４マゼンタ、ＱＦＤ  ９３３４マゼンタ、ＢＣＤ  ６１０５シアン、ＢＣＤ  ９４４８シアン、ＢＣＤ  ６０６０シアン、ＢＦＤ  ５００２シアン、ＢＦＤ  １１２１シアン、及びＬＨＤ  ９３０３ブラック。
【００６２】
染料は、それが水溶性であろうと水不溶性であろうと、本発明の実施において着色剤として用いることができる。水溶性染料の例としては、スルホン酸塩及びカルボン酸塩染料、特に、インクジェット印刷に通常用いられるものがある。具体例には、スルホローダミンＢ（スルホン酸塩）、アシッドブルー１１３（スルホン酸塩）、アシッドブルー２９（スルホン酸塩）、アシッドレッド４（スルホン酸塩）、ローズベンガル（カルボン酸塩）、アシッドイエロー１７（スルホン酸塩）、アシッドイエロー２９（スルホン酸塩）、アシッドイエロー４２（スルホン酸塩）、アクリジンイエローＧ（スルホン酸塩）、ニトロブルー・塩化テトラゾリウムモノハイドレート又はＮＢＴ、ローダミン６Ｇ、ローダミン１２３、ローダミンＢ、ローダミンＢイソシアナート、サフラニンＯ、アズールＢ、アズールＢエオシナート、ベーシックブルー４７、ベーシックブルー６６、チオフラビンＴ（ベーシックイエロー１）、及びオーラミンＯ（ベーシックイエロー２）が含まれるが、これらは全てアルドリッチ・ケミカル社から入手可能である。水溶性（アニオン）染料のさらに別の具体例には、アルドリッチ・ケミカル社のダイレクトイエロー１３２及びダイレクトブルー１９９、並びにマゼンタ３７７（イルフォードＡＧ，スイス）が含まれ、これは単独で又はアシッドレッド５２（アルドリッチ・ケミカル社）と一緒に使用可能である。水不溶性染料の例には、アゾ染料、キサンテン染料、メチン染料、ポリメチン染料、及びアントラキノン染料が含まれる。水不溶性染料の具体例には、チバガイギー社から市販されているＯｒａｓｏｌブルーＧＮ、Ｏｒａｓｏｌピンク、及びＯｒａｓｏｌイエローがある。
【００６３】
インクのバランス量は水であり、これは特定用途向けにインクの諸性質を最適化するのに用いられる、インクジェットインクに通常添加される他の添加剤を含む。例えば当業者には周知のように、殺生物剤をインク組成中に用いて、微生物の成長を禁止することができ、ＥＤＴＡのような金属イオン封鎖剤を含有させて重金属不純物の有害な影響を排除することができる。さらにインクのｐＨを制御するために緩衝剤溶液を用いてもよい。粘度調節剤のような他の既知の添加剤及び他のアクリル系又は非アクリル系ポリマーを添加して、インク組成物の種々の性質を思うように改良することができる。
【００６４】
本発明の実施に適切に採用されるインク組成物の例は、下記の表２に記載の成分を含む。
【００６５】
【表２】
0004338932.tif 000008
【００６６】
表２のＧＴＰオリゴマーにおいて、Ｒ6は先に示した通りであり、Ｒ7は−ＣＯＯ-Ｋ+、Ｒ8はベンジル（−ＣＨ2−Ｃ6Ｈ5）、ｎは１４から２０、及びｍは２０から３０である。このインクは、３６ｄｙｎｅ／ｃｍの表面張力と、４５度の接触角（ＫＡＰＴＯＮとの）を有する。
【００６７】
【発明の効果】
少なくとも３５ｄｙｎｅ／ｃｍの表面張力と３５から６５度の間の（ＫＡＰＴＯＮ製オリフィスプレートとの）接触角をインクに付与する表面活性添加剤を有するインクジェットインクは、インクジェット印刷において有用であると期待される。かかるインクを用いた場合、サーマルプリントヘッドを離れる際のインクの指向性が改良される。特に、インク滴吐出の際のテール分離が減少し、液滴弾道が改良され、印刷品質の改良がもたらされる。
【００６８】
以下に本発明の例示的な実施態様を示す。
１  最小限のテール分離と改良された液滴弾道を示し、プリントヘッド（８０）のオリフィスプレート（１０４）のオリフィス（１２４）を介して印刷媒体上に印刷を行い、改良された印刷品質をもたらすインクジェットインク（１７４）であって、前記最小限のテール分離と改良された液滴弾道が、インクジェットインク（１７４）に対し、少なくとも３５ｄｙｎｅ／ｃｍの表面張力と前記オリフィスプレート（１０４）との３５から６５度の範囲内の値の接触角を付与するのに十分な量で添加される少なくとも１つの表面活性添加剤を含有することによって達成される、インクジェットインク（１７４）。
２  前記オリフィスプレート（１０４）が芳香族ポリイミドから構成される、上記１のインクジェットインク（１７４）。
３  前記少なくとも１つの表面活性添加剤が、界面活性剤及びオリゴマーから成る群より選択される、上記１のインクジェットインク（１７４）。
４  前記界面活性剤が、アミンオキシド、ベタイン、スルホベタイン、及び高分子界面活性剤から成る群より選択される、上記３のインクジェットインク（１７４）。
５  （ａ）前記アミンオキシドが次式を有し、
【００６９】
【化６】
0004338932.tif 000009
【００７０】
式中、ｎは８より大きく１６より小さい
（ｂ）前記ベタインが次式を有し、
【００７１】
【化７】
0004338932.tif 000010
【００７２】
式中、Ｒ1はＣ8からＣ22のアルキル鎖であり、Ｒ2とＲ3は独立にＣ1からＣ4のアルキル鎖である
（ｃ）前記スルホベタインが次式を有し、
【００７３】
【化８】
0004338932.tif 000011
【００７４】
式中、Ｒ1はＣ8からＣ22のアルキル鎖であり、Ｒ2とＲ3は独立にＣ1からＣ4のアルキル鎖である
（ｄ）前記高分子界面活性剤が次式を有する、上記４のインクジェットインク（１７４）。
【００７５】
【化９】
0004338932.tif 000012
【００７６】
６  前記オリゴマーは、基転移重合ポリマーである、上記３のインクジェットインク（１７４）。
７  前記基転移重合ポリマーが次式を有する、上記６のインクジェットインク（１７４）。
【００７７】
【化１０】
0004338932.tif 000013
【００７８】
８  前記表面活性添加剤がインク中にその臨界ミセル生成濃度以下の量で存在する、上記３のインクジェットインク（１７４）。
９  前記量が約０．０１から１０重量％である、上記８のインクジェットインク（１７４）。
１０  インクジェットインク（１７４）におけるテール分離を低減させ液滴弾道を改良するための方法であって、インクジェットインク（１７４）に少なくとも３５ｄｙｎｅ／ｃｍの表面張力を与えると共に、インクジェットインク（１７４）が吐出されるプリントヘッド（８０）の複数のオリフィス（１２４）を含むオリフィスプレート（１０４）とインクジェットインク（１７４）の間の接触角が約３５から６５度となるのに十分な量でもって、インクジェットインク（１７４）に対して少なくとも１つの表面活性添加剤を添加することからなる方法。
【図面の簡単な説明】
【図１】本発明の実施に適した代表的なサーマルインクジェットカートリッジユニットの概略図である。
【図２】図１のサーマルインクジェットカートリッジユニットに関連するプリントヘッドの概略的な拡大断面図である。
【図３Ａ】１００ｄｙｎｅ／ｃｍの表面張力を有し、気化チャンバから吐出されるインクジェットインクを示す連続的な図である。
【図３Ｂ】インクが２５ｄｙｎｅ／ｃｍの表面張力を有する場合の、図３Ａと同様の図である。
【図４】標的からの半径方向の変位（マイクロメートル単位）と各種のアミンオキシド界面活性剤とを示す座標上で、指向性に及ぼす各種のアミンオキシド界面活性剤の影響をプロットした棒グラフである。
【図５】運動量（Ｋｇ／ｍ）と接触角（度）とを示す座標上で、主液滴速度の関数としての接触角（芳香族ポリイミドである商品名ＫＡＰＴＯＮからなるオリフィスプレート上での表面湿潤）の相関関係を示すプロットである。
【図６】図２に示したような気化チャンバから吐出されつつあるインク滴の側部立面図。
【符号の説明】
１０  カートリッジ
２０  ハウジング
８０  プリントヘッド
９６  抵抗アセンブリ
１０４  オリフィスプレート
１２４  オリフィス
１６０  インク気化チャンバ
１７４  インクジェットインク
【図１】
0004338932.tif 000016
【図２】
0004338932.tif 000017
【図３Ａ】
0004338932.tif 000018
【図３Ｂ】
0004338932.tif 000019
【図４】
0004338932.tif 000020
【図５】
0004338932.tif 000021
【図６】
0004338932.tif 000022